(57)【要約】      （修正有）【課題】窓ガラスの外側に向けて装飾シートを展示する窓面展示具であって、装飾シートが窓ガラスに密着してくっきりと見え、十分な強度を有するものを提供する。【解決手段】ガラス４とポリカーボネート板２の間に通気性を有するメッシュスクリーンである透光性の装飾シート３を挟み込む窓面展示具１を提供する。ポリカーボネート板２を桟５に固着することで、装飾シート３を窓ガラス４に接着せずに展示することができる。なお、固着には押え縁６を利用することができる。また、装飾シート３をポリカーボネート板２の両側に備えて装飾性を高めることもできる。【選択図】図３
0003192379.tif 000002
【実用新案登録請求の範囲】
【請求項１】
窓ガラスの外側に向けて装飾シートを展示する窓面展示具であって、
ガラスと平板状のポリカーボネート板の間に通気性を有するメッシュスクリーンである透光性の装飾シートを挟み込んだものであることを特徴とする、窓面展示具。
【請求項２】
前記ポリカーボネート板が、前記窓ガラスの内側に配されることを特徴とする、請求項１に記載の窓面展示具。
【請求項３】
前記ポリカーボネート板が、前記窓ガラスの外側に配されることを特徴とする、請求項１に記載の窓面展示具。
【請求項４】
前記ポリカーボネート板の前記窓ガラスへの固定が、前記ポリカーボネート板を前記窓ガラスの桟に固着するものであることを特徴とする、請求項２又は３に記載の窓面展示具。
【請求項５】
前記固着が、前記桟に接着された押え縁によるものであることを特徴とする、請求項４に記載の窓面展示具。
【請求項６】
前記装飾シートの両面に装飾目的の印刷がされていることを特徴とする、請求項１〜３のいずれか１項に記載の窓面展示具。
【請求項７】
前記装飾シートの一面に濃色の印刷がされ、他面に淡色の印刷がされていることを特徴とする、請求項６に記載の窓面展示具。
【請求項８】
前記ポリカーボネート板の前記ガラスとは反対側の面にメッシュスクリーンである透光性の第二の装飾シートを備えることを特徴とする、請求項１〜５のいずれか１項に記載の窓面展示具。
【考案の詳細な説明】
【技術分野】
【０００１】
本考案は、広告等をオフィスビル等の窓の外側に向けて展示するための窓面展示具に関する。
【背景技術】
【０００２】
商品案内や、会社名をオフィスビル等のビルの窓の外側に向けて展示することが行われている。オフィスビルの近隣を通行する者に向けて、低価格で印象の強い広告を行うことができる。むろん、広告以外の展示も可能である。
【０００３】
かかる展示は、窓ガラスの内面に、展示内容が表示され透光性を持ったシート（以下「装飾シート」と言う。）を配置して行われる。この配置に当たり、装飾シートを窓ガラスに接着することは、好ましくない。接着・剥離によって窓ガラスが割れてしまったり、割れないまでも傷ついてしまったりすることがあるためである。また、装飾シートと窓ガラスの熱膨張率が相違するため、窓ガラスが太陽光によって熱せられて割れてしまういわゆる熱割れの発生可能性が高くなる。以上の理由により、ビルの管理者によって禁止されている場合もある。
【０００４】
このため、窓ガラスの内側にロールスクリーンを配置する等、装飾シートと窓ガラスの間に空間を持たせた展示が広く行われている。しかし、その空間があるため、窓ガラスの外側から見える装飾シートがくっきりとは見えない。
【０００５】
一方、窓ガラスの内面でなく屋外に設置する看板においては、例えば特許文献１に示されるように、不燃性であり十分な強度を有するポリカーボネート板が用いられている。
【０００６】
しかし、特許文献１のポリカーボネート板に装飾シートを貼付して該装飾シートを窓ガラスに押着することは、以下の理由により不適当である。ポリカーボネート板からは、アウトガスと呼ばれる気体（水蒸気、二酸化炭素等）が微量に排出している。アウトガスがポリカーボネート板と窓ガラスとの間に蓄積してしまい、長期に亘る装飾をすることができない。
【先行技術文献】
【特許文献】
【０００７】
【特許文献１】特開２０１１−１８０４４５号公報
【考案の概要】
【考案が解決しようとする課題】
【０００８】
本考案は、窓ガラスの外側に向けて装飾シートを展示する窓面展示具であって、装飾シートが窓ガラスに密着してくっきりと見え、十分な強度を有するものを提供することを課題とする。
【課題を解決するための手段】
【０００９】
本考案の窓面展示具は、
窓ガラスの外側に向けて装飾シートを展示する窓面展示具であって、
ガラスとポリカーボネート板の間に通気性を有するメッシュスクリーンである透光性の装飾シートを挟み込み、
前記ポリカーボネート板が平板であることを特徴とする。
【００１０】
ガラスとポリカーボネートの平板との間に装飾シートを挟み込んで展示する。窓ガラスと装飾シートが密着し、装飾シートの印刷がくっきりと見える。
ポリカーボネート板から発生するアウトガスは、装飾シートのメッシュによって吸収され、装飾シートが分離してしまうことがない。
また、ポリカーボネート板は、十分な強度を有するので、窓ガラスが破損等した場合にも、固定されたポリカーボネート板を含む全体構造は保たれる。
ここで「平板」とは、装飾シートを把持可能な程度の平面性を有する板状体を言う。表面が完全に平面のものに限らず、表面に微小な波型凹凸を有するいわゆる中空ポリカーボネートも平板である。
【００１１】
本考案の窓面展示具は、
前記ポリカーボネート板が、前記窓ガラスの内側に配されることを特徴とする。
【００１２】
室内側に装飾シートを配する。通常の配置である。
【００１３】
本考案の窓面展示具は、
前記ポリカーボネート板が、前記窓ガラスの内側に配されることを特徴とする。
【００１４】
室外側に装飾シートを配する。窓ガラスがスモークガラスである場合等、装飾シートが窓ガラスを通じて見えづらい場合に有効である。
【００１５】
本考案の窓面展示具は、
前記ポリカーボネート板の前記窓ガラスへの固定が、前記ポリカーボネート板を前記窓ガラスの桟に固着するものであることを特徴とする。
【００１６】
窓ガラスに接着剤等を付することなく、ポリカーボネート板を固定する。
【００１７】
本考案の窓面展示具は、
前記固着が、前記桟に接着された押え縁によるものであることを特徴とする。
【００１８】
押え縁によって、効率よく固定することができる。
【００１９】
本考案の窓面展示具は、
前記装飾シートの両面に装飾目的の印刷がされていることを特徴とする。
【００２０】
室内からも装飾を楽しむことができる。
【００２１】
本考案の窓面展示具は、
前記装飾シートの一面に濃色の印刷がされ、他面に淡色の印刷がされていることを特徴とする。
【００２２】
光量に依存し、濃色の印刷がその裏側から見え得る。多彩な装飾が可能となる。
【００２３】
本考案の窓面展示具は、
前記ポリカーボネート板の前記ガラスとは反対側の面にメッシュスクリーンである透光性の第二の装飾シートを備えることを特徴とする。
【００２４】
透光性が調整され、２枚の装飾シート表面がくっきりと見える。
【考案の効果】
【００２５】
本考案によれば、窓ガラスの外側に向けて装飾シートを展示する窓面展示具であって、装飾シートが窓ガラスに密着してくっきりと見え、十分な強度を有するものを提供することができる。
【図面の簡単な説明】
【００２６】
【図１】図１は、窓面展示具を示す図である。（実施例１）
【図２】図２は、ポリカーボネート板の固定を示す図である。（実施例１）
【図３】図３は、押え縁を示す図である。（実施例１）
【図４】図４は、押え縁のバリエーションを示す図である。（実施例１）
【図５】図５は、メッシュスクリーンを示す図である。（実施例２）
【図６】図６は、窓面展示具を示す図である。（実施例３）
【図７】図７は、光の透過を説明する図である。（実施例３）
【考案を実施するための形態】
【００２７】
以下、本考案の実施例を説明する。
【実施例１】
【００２８】
図１は、窓面展示具を示す図である。窓面展示具１は、ポリカーボネート板２、メッシュスクリーン３及びガラス４をこの順に積層したものである。メッシュスクリーン３のガラス４側の面には印刷がされており、ガラス４の外側（ポリカーボネート板２と反対の側）から装飾を見ることができる。
【００２９】
図２は、ポリカーボネート板の固定を示す図である。窓の桟５に押え縁が固着され、ポリカーボネート板２をガラス４に向けて押さえる。これにより、ポリカーボネート板２がガラス４に圧着され、メッシュスクリーン３がガラス４に密着する。ガラス４の外側から、メッシュスクリーン３の印刷がくっきりと見える。
【００３０】
図３は、押え縁を示す図である。押え縁６は、断面Ｌ字状の小板体であり、Ｌ字の１辺が桟５に固着（例えば接着）される。他の１辺は、ポリカーボネート板２に接着されることなく、ポリカーボネート板を圧着する。押え縁をポリカーボネート板に接着してもよいが、接着しないことでポリカーボネート板２、或いはメッシュスクリーン３を容易に交換することができる。なお押え縁６は、桟と同色の金属製とすることや、ポリカーボネート製（ポリカーボネート板の端材を折り曲げて押え縁とすることができる。）とすることができ、外観にあまり影響しない。
【００３１】
図４は、押え縁のバリエーションを示す図である。（Ａ）は図３に示した押え縁である。例えば桟５と同質のアルミニウム製とすることができる。（Ｂ）のように中空の柱体とすることや、（Ｃ）のように押える面積の大きな形状とすることもできる。（Ｄ）はポリカーボネート板の端材を押え縁として使用するものである。図のように断面長方形となる。（Ｅ）は中空のポリカーボネート板の端材を押え縁として使用するものである。中空部分を活用し、折り曲げて押え縁として使用することができる。
【００３２】
メッシュスクリーン３には透光性があり、室内（ポリカーボネート板２の側）に外光を取り入れることができる。
また、ポリカーボネート板２は、衝撃によって割れてしまうことがなく、窓面展示具１は、１枚のガラス４よりも強度がある。
【００３３】
以下、窓ガラスに装飾を施す手順を説明する。
【００３４】
まず、ポリカーボネート板２に両面テープ等でメッシュスクリーン３を仮止めする。短時間の仮止めであり、例えばメッシュスクリーンの四隅の目立たない箇所を止めればよい。
【００３５】
次に、ポリカーボネート板２を、ガラス４に押し付ける。メッシュスクリーン３がガラス４に密着する。
【００３６】
この状態で、ポリカーボネート板２を固定する押え縁６の位置を決め、押え縁６を桟に接着する。接着剤が乾燥して押え縁６が固定されることで施装飾が完了する。この後は、前記の仮止めは不要となる。
【実施例２】
【００３７】
以下、実施例１に更に構成要素を加えた実施例２及び３について説明する。実施例１において説明したことはそのまま用いられる。実施例１との相違を中心に説明し、共通の部分は詳細な説明を省略する。
【００３８】
図５は、メッシュスクリーンを示す図である。メッシュスクリーン３の一面に淡色の印刷３ｘがされ、他面に濃色の印刷３ｙがされている。淡色の印刷３ｘを外側（ガラス４側）に、濃色の印刷３ｙを内側（ポリカーボネート板２側）に配する。
【００３９】
昼間は、ガラス４の側から光が当たり、淡色の印刷３ｘによって反射されて、外側からは淡色の印刷３ｘが見える。内側からは濃色の印刷３ｙが見える。
【００４０】
夜間になり、外側が暗く、内側には室内照明が灯されているとする。照明からの光は濃色の印刷３ｙに投じられ、メッシュの間から濃色の印刷を映して外側に届く。その際、淡色の印刷３ｘが一様に白色に近いものであれば、濃色の印刷３ｙを映した光が外側に届く。すなわち、外側からも濃色の印刷３ｙ（を反転したもの）が見える。内側からは濃色の印刷３ｙが見える点は、昼間と同様である。
【００４１】
以上のとおり、外側から見える印刷（装飾）を昼夜で替えることができる。
【実施例３】
【００４２】
図６は、窓面展示具を示す図である。実施例１の窓面展示具１に、メッシュスクリーンである第二の装飾シート３ａを加えたものである。
【００４３】
メッシュスクリーンは透光性のため、裏側から当たる光が強いと、表側の模様が見えづらいことがある。特に、メッシュ部分を透過した光が直接に見える角度において模様が見えづらい。すなわち、裏側から入射する光の光路に当たる角度において、模様が見えづらい。
【００４４】
図７は、光の透過を説明する図である。メッシュスクリーン３ａの模様について、メッシュスクリーン３によって見えづらい角度が減少することを説明する。メッシュスクリーン３がないとすると、裏側（メッシュスクリーン３の側）からの光はどの角度であってもメッシュスクリーン３ａのメッシュ部分を透過する。一方メッシュスクリーン３がある場合には、メッシュスクリーン３とメッシュスクリーン３ａとの両方のメッシュ部分を結ぶ直線の方向の光のみがメッシュスクリーン３ａのメッシュ部分を透過する。図において実線で示した光のみがメッシュスクリーン３ａのメッシュ部分を透過し、点線で示した光はメッシュスクリーン３ａのメッシュ部分を透過しない。
【００４５】
メッシュスクリーン３とメッシュスクリーン３ａとのメッシュの配置によって、見えづらくなる角度は図に実線で示した角度に限定される。図においては説明のためにメッシュ部分を大きく描いてあるが、実際のｃでは、メッシュ部分の面積は全体の１０％未満である。多くの角度が点線の（メッシュスクリーン３ａのメッシュ部分を透過しない）角度となる。
【００４６】
以上のとおり、模様が見えづらくなる角度を大幅に限定することができる。
【実施例４】
【００４７】
実施例１〜３において、窓ガラス４の内側にメッシュスクリーン３及びポリカーボネート板２を配していた。この点、窓ガラス４の外側にメッシュスクリーン３及びポリカーボネート板２を配することもできる。
【００４８】
ポリカーボネート板２は、十分に強固である。窓ガラスの外側に配しても破損等の可能性は小さい。
【００４９】
特に、窓ガラス４が、スモークガラスである等透光性が小さいものである場合には、メッシュスクリーン３の装飾を外側から見やすくするため、窓ガラス４の外側にメッシュスクリーン３及びポリカーボネート板２を配することが好ましい。
【産業上の利用可能性】
【００５０】
窓ガラスの外側に向けて装飾シートを展示する窓面展示具であって、装飾シートが窓ガラスに密着してくっきりと見え、十分な強度を有するものである。多くのオフィス（商店等）による利用が考えられる。
【００５１】
また、ポリカーボネート板による防災性能があり、利用の場面は多いと考えられる。
【符号の説明】
【００５２】
１  窓面展示具
２  ポリカーボネート板
３  メッシュスクリーン
４  ガラス
５  桟
６  押え縁
７  光路
【図１】
0003192379.tif 000003
【図２】
0003192379.tif 000004
【図３】
0003192379.tif 000005
【図４】
0003192379.tif 000006
【図５】
0003192379.tif 000007
【図６】
0003192379.tif 000008
【図７】
0003192379.tif 000009